(57)【要約】      （修正有）【課題】遮光眼鏡の使用時・不使用時の選択操作が極めて容易な遮光眼鏡を有するサンバイザを提供しようとするものである。【解決手段】遮光眼鏡１１を有するサンバイザ１において、サンバイザは、遮光鍔部２と、額覆い部３と、装着バンド部４とからなっていて、これらをプラスチックで一体に形成し、遮光眼鏡は、眼鏡部１２と眼鏡部の中央上部に形成される保持片１３とからなっていてプラスチックで一体に形成されると共に額覆い部の内側面に添って収納されるように湾曲せしめられ、額覆い部の中央部にはガイドスリットが縦設されると共にガイドスリットに遮光眼鏡の保持片が上下スライド自在に係合せしめられていて、遮光眼鏡を上げ下げして選択使用できるように構成した。【選択図】図１
0003122469.tif 000002
【実用新案登録請求の範囲】
【請求項１】
遮光眼鏡を有するサンバイザにおいて、サンバイザは、遮光鍔部と、額に対応するように湾曲せしめられた額覆い部と、前記額覆い部の両側部から後方に延設された装着バンド部と、を備えていて、これら遮光鍔部、額覆い部及び装着バンド部がプラスチックで一体に形成されており、前記遮光眼鏡は、眼鏡部と該眼鏡部の中央上部に形成される保持片とからなっていて該眼鏡部及び保持片がプラスチックで一体に形成されると共に前記額覆い部の内側面に添って収納されるように湾曲せしめられ、前記額覆い部の中央部には少なくとも１本のガイドスリットが縦設されると共に該ガイドスリットに前記遮光眼鏡の保持片が上下スライド自在に係合せしめられていて、遮光眼鏡を上げ下げして選択使用できるように構成したことを特徴とする遮光眼鏡を有するサンバイザ。
【請求項２】
装着バンド部の内側に汗止めバンドを着脱できるようになっていることを特徴とする請求項１に記載の遮光眼鏡を有するサンバイザ。
【考案の詳細な説明】
【技術分野】
【０００１】
本考案は、遮光眼鏡を有するサンバイザに係り、特に遮光眼鏡を上げ下げして選択使用し得るようにしたサンバイザに関するものである。
【背景技術】
【０００２】
従来より、有色プラスチック製プレートから成形された簡易な遮光眼鏡をサンバイザに装着してなる遮光眼鏡付きのサンバイザがあり、また、遮光眼鏡の角度及び遠近位置を調節できるようにしたものや、遮光眼鏡を鍔部の裏面側に折り畳み自在に設けたものが提案されている。
【特許文献１】特開平３−２０６１０９号公報
【特許文献２】実開平２−２９４１９号公報
【考案の開示】
【考案が解決しようとする課題】
【０００３】
しかし、特許文献１に記載のものでは、遮光眼鏡を常時使用することを前提としているため、遮光眼鏡を使用しない場合には却って遮光眼鏡が邪魔になる、という欠点がある。また、特許文献２に記載のものでは、遮光眼鏡を使用しない場合には遮光眼鏡を鍔部の裏面側に折り畳んで収納するものであるため、遮光眼鏡を使用しない場合でも視線の上方に遮光眼鏡が横に広がった状態で存在し、うっとうしい感じを拭いきれない、という欠点がある。
【０００４】
本考案が解決しようとする課題は、遮光眼鏡の不使用時にはこれを額覆い部の裏面側に隠蔽収納することができ、また、遮光眼鏡の使用に際してはこれを所定の位置に降ろすことができて、遮光眼鏡の使用時・不使用時の選択操作が極めて容易な遮光眼鏡を有するサンバイザを提供しようとするものである。
【課題を解決するための手段】
【０００５】
本考案の遮光眼鏡を有するサンバイザは、遮光眼鏡を有するサンバイザにおいて、サンバイザは、遮光鍔部と、額に対応するように湾曲せしめられた額覆い部と、前記額覆い部の両側部から後方に延設された装着バンド部と、を備えていて、これら遮光鍔部、額覆い部及び装着バンド部がプラスチックで一体に形成されており、前記遮光眼鏡は、眼鏡部と該眼鏡部の中央上部に形成される保持片とからなっていて該眼鏡部及び保持片がプラスチックで一体に形成されると共に前記額覆い部の内側面に添って収納されるように湾曲せしめられ、前記額覆い部の中央部には少なくとも１本のガイドスリットが縦設されると共に該ガイドスリットに前記遮光眼鏡の保持片が上下スライド自在に係合せしめられていて、遮光眼鏡を上げ下げして選択使用できるように構成したことを特徴とする。
【０００６】
この場合、装着バンド部の内側に汗止めバンドを着脱できるようにするとより便利である。
【考案の効果】
【０００７】
この遮光眼鏡を有するサンバイザによれば、遮光眼鏡の不使用時にはこれを上げて額覆い部の裏面側に押し込むことにより隠蔽収納され、使用に際してはこれを降ろすことにより所定の位置にセットすることができる。
【０００８】
遮光眼鏡は眼鏡部及び保持片がプラスチックで一体に形成されると共に前記額覆い部の内側面に添って収納されるように湾曲せしめられているから、サンバイザの装着時の邪魔になることはなく、また、遮光眼鏡はこれを収納した状態では視野内に位置しないからうっとうしい、という感じは全くない。
【０００９】
サンバイザは、遮光鍔部と、額に対応するように湾曲せしめられた額覆い部と、前記額覆い部の両側部から後方に延設された装着バンド部とがプラスチックで一体に形成されているから、低コストで提供することができる。
【００１０】
装着バンド部の内側に汗止めバンドを着脱できるようにすれば、汗止めバンドを交換することにより常時爽快な装着感を得ることができる。
【考案を実施するための最良の形態】
【００１１】
サンバイザは、遮光性を有するプラスチックにより、遮光鍔部と、額に対応するように湾曲せしめられた額覆い部と、前記額覆い部の両側部から後方に延設された装着バンド部と、を一体成形し、遮光眼鏡も眼鏡部と該眼鏡部の中央上部に形成される保持片とを遮光性を有するプラスチックで一体形成する。この場合、遮光眼鏡は多少薄肉に形成することができるが、全体形状として、前記額覆い部の内側面に添って収納できるように湾曲した形状に成形される。
【００１２】
前記額覆い部の中央部には少なくとも１本のガイドスリットが縦設されると共に該ガイドスリットに前記遮光眼鏡の保持片を上下スライド自在に係合せしめる。例えば、前記保持片に操作摘み部を突設して該摘み部を前記ガイドスリットから外部に突出させ、該摘み部を操作することにより前記遮光眼鏡を上下させる。
【実施例１】
【００１３】
図１は、本考案の遮光眼鏡を有するサンバイザの実施例を示す斜視図、図２は底面側から見た斜視図であり、汗止めバンドを分離した状態を示している。図３は平面図、図４は遮光眼鏡を降ろした状態の正面図であり、遮光眼鏡を上げた状態は仮装線で示している。図５はサンバイザと遮光眼鏡の関係を示す断面図である。
【００１４】
図において、１は遮光眼鏡１１を有するサンバイザを示し、サンバイザ１は、遮光鍔部２と、額に対応するように湾曲せしめられた額覆い部（カチューシャ部分）３と、前記額覆い部３の両側部から後方に延設された装着バンド部４とからなり、これら遮光鍔部２、額覆い部３及び装着バンド部４は遮光性を有するプラスチックにより一体成形される。前記額覆い部３は、実施例ではやや幅広く形成され、図４に示すように、中央部が山形状に形成されて前頭部をも覆うようになっている。
【００１５】
前記遮光眼鏡１１は眼鏡部１２と該眼鏡部１２の中央上部に形成される保持片１３とからなり、前記眼鏡部１２及び保持片１３は遮光性を有するプラスチックで一体形成される。実施例では遮光眼鏡１１は多少薄肉に形成されて軽量化を図っているが、全体形状として、前記額覆い部３の内側面に添って収納できるように湾曲した形状に成形される。
【００１６】
前記額覆い部３の中央部には１本又は複数本（実施例では１本）のガイドスリット５が縦設されると共に該ガイドスリット５に前記遮光眼鏡１１の保持片１３を上下スライド自在に係合せしめる。例えば、前記保持片１３に操作摘み部１４を突設して該摘み部１４を前記ガイドスリット５から外部に突出させ、該摘み部１４をスライド操作することにより前記遮光眼鏡１１を上下させるようにする。なお、前記摘み部１４は保持片１３に一体成形してもよく、或いは別部材を取り付けてもよい。
【００１７】
前記ガイドスリット５が強度不足の場合には額覆い部３の外側面に補強枠部材を貼設してもよい。また、前記遮光眼鏡１１の上下スライドを安定させるために前記ガイドスリット５を複数本、例えば３本形成して中央のガイドスリット５から突出する保持片１３には前記摘み部１４を設け、両サイドのガイドスリットから突出する保持片１３の突出部には摘み部を設けないでガイドだけさせるようにしてもよい。
【００１８】
前記額覆い部３の下端内周面及び装着バンド部４の内周面には一方の布ファスナー片６を所定間隔で取り付け、吸水性に優れた材料からなる汗止めバンド１５の外周面には前記ファスナー片６に対応するように他方の布ファスナー片１６を取り付けて汗止めバンド１５を着脱し得るようにする。
【００１９】
前記保持片１３の摘み部１４とガイドスリット５との関係は、摘み部１４がガイドスリット５内でスライド自在になっていると共にガイドスリット５の少なくとも上端部で摘み部１４が保持されるような寸法関係にしたり、ストッパ部（図示しない）を設ける。前記装着バンド部４はその弾性によって頭部に挟持させるようにするが、装着バンド部４の両端にゴムバンド又は長さ調節可能な締結紐を取り付けてもよい。
【００２０】
サンバイザ１の使用に際しては、装着バンド部４を頭部に装着することにより太陽光の顔面への照射を遮光鍔部２で遮り、また、遮光眼鏡１１の使用に際しては摘み部１４を操作してガイドスリット５に沿って降ろすことにより所定の位置にセットされる。遮光眼鏡１１の不使用時には、前記摘み部１４を介して上方に押し上げると、該遮光眼鏡１１は、図４の仮装線で示すように、額覆い部３の内側に添うように収納される。
【図面の簡単な説明】
【００２１】
【図１】遮光眼鏡を有するサンバイザの斜視図である。
【図２】遮光眼鏡を有するサンバイザの底面側から見た斜視図である。
【図３】遮光眼鏡を有するサンバー座の平面図である。
【図４】遮光眼鏡を有するサンバイザの正面図である。
【図５】遮光眼鏡を有するサンバイザの断面図である。
【符号の説明】
【００２２】
１    サンバイザ
２    遮光鍔部
３    額覆い部
４    装着バンド部
５    ガイドスリット
１１    遮光眼鏡
１２    眼鏡部
１３    保持片
１４    摘み部
１５    汗止めバンド
【図１】
0003122469.tif 000003
【図２】
0003122469.tif 000004
【図３】
0003122469.tif 000005
【図４】
0003122469.tif 000006
【図５】
0003122469.tif 000007